(57)【要約】【課題】ユニット商品を設置する施工現場における作業を複数の作業者で行う場合に、作業者毎の効率的な施工手順や施工費用を簡単に自動作成することができるユニット商品施工手順作成システムを提供する。【解決手段】データ入力手段１に商品仕様、作業者が入力されると、第１の検索手段３、第２の検索手段４、第３の検索手段６で入力データに対応するデータを商品施工手順ＤＢ２、付属品施工手順ＤＢ５、作業者情報ＤＢ７から検索して抽出する。作業用データ作成手段８では、上記検索結果データの内、施工手順データをまとめて一つの作業用データを作成する。上記検索された作業者に関する情報と作業用データとから作業者毎の総作業時間数が略同一になるように作業工程を各作業者に割り当てる。この結果を出力手段１０により出力する。【選択図】        図１
2006065578.tif 000002
【特許請求の範囲】
【請求項１】
ユニット商品の品番毎に施工手順が記録された商品施工手順記憶手段と、
前記ユニット商品に対応した付属品の付属品品番毎の施工手順が記録された付属品施工手順記憶手段と、
作業者毎の技術レベルや工賃の情報が記録された作業者情報記憶手段と、
指定された商品仕様と作業者に基づいて前記商品施工手順記憶手段、付属品施工手順記憶手段、作業者情報記憶手段から施工手順と作業者情報を各々抽出する検索手段と、
前記検索手段により抽出された複数の施工手順を一つの作業手順データにまとめる作業用データ作成手段と、
前記作業用データ作成手段で作成された作業手順データ内の作業工程を前記検索手段により抽出された作業者情報に基づいて複数の作業者に割り当てる際に、各作業者の総作業時間数が略同一になるように調整する複数作業者工程割当手段とを備えたことを特徴とするユニット商品施工手順作成システム。
【請求項２】
前記複数作業者工程割当手段は、複数の作業者に作業工程を割り当てる際に１人用作業であっても、複数人で作業可能な場合には各作業者に同じ作業工程を分配して割り当てることを特徴とする請求項１記載のユニット商品施工手順作成システム。
【請求項３】
前記複数作業者工程割当手段は、各作業者について割り当てられた途中の作業工程までの経過時間を各々比較する比較手段と、前記比較手段で経過時間が長いと判断された作業者の作業が複数人で作業可能の場合に前記比較手段で経過時間が長いと判断された作業者の最後の作業工程を経過時間が短い方の経過時間に合わせて中断する中断手段とを備え、
前記中断手段で中断された作業工程の残りの作業を複数作業者に分配して割り当てることを特徴とする請求項１〜請求項２のいずれか１項に記載のユニット商品施工手順作成システム。
【請求項４】
前記複数作業者工程割当手段は、各作業者について割り当てられた途中の作業工程までの経過時間を各々比較する比較手段を備え、前記比較手段で経過時間が長いと判断された作業者の作業が１人でのみ作業可能の場合、前記比較手段で経過時間が短いと判断された作業者の方に経過時間が同じになるように待ち時間を割り当てることを特徴とする請求項１〜請求項２のいずれか１項に記載のユニット商品施工手順作成システム。
【発明の詳細な説明】
【技術分野】
【０００１】
本発明は、浴室、洗面化粧台、システムキッチン等のユニット商品を設置する場合に、複数の施工作業者が効率良く作業を行える施工手順を作成することができるユニット商品施工手順作成システムに関する。
【背景技術】
【０００２】
従来、施工作業のスケジュール調整と言えば、複数の委託業者の余力度を見て日程調整を行ったり、施工作業を単位作業から要素動作にまで分解し、要素動作の合計がどのようなパターンになるかによって、投入する従業員や装置や道具を調整するものである。
【０００３】
【特許文献１】特開２００２−３３４２３４号公報
【特許文献２】特開２００１−２７３４１８号公報
【発明の開示】
【発明が解決しようとする課題】
【０００４】
しかし、従来、ユニット商品の設置等で複数の作業者を使用する場合に、具体的な作業工程を各作業者に効率良く自動的に割り振るシステムはなかった。
【０００５】
本発明は、上述した課題を解決するために創案されたものであり、ユニット商品を設置する施工現場における作業を複数の作業者で行う場合に、作業者毎の効率的な施工手順や施工費用を簡単に自動作成することができるユニット商品施工手順作成システムを提供することを目的としている。
【課題を解決するための手段】
【０００６】
上記目的を達成するために、請求項１記載の発明は、ユニット商品の品番毎に施工手順が記録された商品施工手順記憶手段と、前記ユニット商品に対応した付属品の付属品品番毎の施工手順が記録された付属品施工手順記憶手段と、作業者毎の技術レベルや工賃の情報が記録された作業者情報記憶手段と、指定された商品仕様と作業者に基づいて前記商品施工手順記憶手段、付属品施工手順記憶手段、作業者情報記憶手段から施工手順と作業者情報を各々抽出する検索手段と、前記検索手段により抽出された複数の施工手順を一つの作業手順データにまとめる作業用データ作成手段と、前記作業用データ作成手段で作成された作業手順データ内の作業工程を前記検索手段により抽出された作業者情報に基づいて複数の作業者に割り当てる際に、各作業者の総作業時間数が略同一になるように調整する複数作業者工程割当手段とを備えたことを特徴とするユニット商品施工手順作成システムである。
【０００７】
また、請求項２記載の発明は、  前記複数作業者工程割当手段は、複数の作業者に作業工程を割り当てる際に１人用作業であっても、複数作業者で作業可能な場合には各作業者に同じ作業工程を分配して割り当てることを特徴とする請求項１記載のユニット商品施工手順作成システムである。
【０００８】
また、請求項３記載の発明は、前記複数作業者工程割当手段は、各作業者について割り当てられた途中の作業工程までの経過時間を各々比較する比較手段と、前記比較手段で経過時間が長いと判断された作業者の作業が複数人で作業可能の場合に前記比較手段で経過時間が長いと判断された作業者の最後の作業工程を経過時間が短い方の経過時間に合わせて中断する中断手段とを備え、前記中断手段で中断された作業工程の残りの作業を複数作業者に分配して割り当てることを特徴とする請求項１〜請求項２のいずれか１項に記載のユニット商品施工手順作成システムである。
【０００９】
また、請求項４記載の発明は、前記複数作業者工程割当手段は、各作業者について割り当てられた途中の作業工程までの経過時間を各々比較する比較手段を備え、前記比較手段で経過時間が長いと判断された作業者の作業が１人でのみ作業可能の場合、前記比較手段で経過時間が短いと判断された作業者の方に経過時間が同じになるように待ち時間を割り当てることを特徴とする請求項１〜請求項２のいずれか１項に記載のユニット商品施工手順作成システムである。
【発明の効果】
【００１０】
本発明によれば、複数の作業者の各総作業時間数が略同一になるように作業工程の割り振を調整しているので、作業者毎の効率的な施工手順や施工費用を簡単に自動作成することができる。
【発明を実施するための最良の形態】
【００１１】
以下、図面を参照して本発明の一実施形態を説明する。図１は本発明のユニット商品施工手順作成システムの基本構成例を示す図である。
【００１２】
図１に示すように、ユニット商品施工手順作成システムは、データ入力手段１、商品施工手順ＤＢ（データベース）２、第１の検索手段３、第２の検索手段４、付属品施工手順ＤＢ（データベース）５、第３の検索手段６、作業者情報ＤＢ（データベース）７、作業用データ作成手段８、複数作業者工程割当手段９、出力手段１０から構成されている。
【００１３】
商品施工手順ＤＢ２には、浴室、洗面化粧台、システムキッチン等のユニット商品に関する施工手順等のデータが記憶されている。商品施工手順ＤＢ２は、例えば図４に示すようなデータ構造となっており、商品名、サイズ、商品品番の一連のデータと各商品品番に紐付けられた形で各商品毎に施工項目、作業工程、手順番号、後条件、作業区分、２人可、難易度、Ｂ標準時間（分）、Ａ係数、Ｃ係数等のデータが格納されている。
【００１４】
施工項目は、床施工、壁施工、ドア枠施工、天井施工等、一つのまとまりを表す作業毎の項目を施工順に並べたものであり、その後に並ぶ２桁の数字０１、０２等は行番号を示す。
【００１５】
各施工項目は、より具体的な作業工程の集まりから成り立っており、例えば、床施工であれば、前準備、据付、水張り試験の各作業工程からなっている。各作業工程には手順番号が４桁で割り当てられている。前の２桁は作業大工程を表し、後の２桁は各施工項目内での作業工程の作業順を表す。
【００１６】
後条件とは、最初の作業工程（本例では手順番号０１０１）から後条件で示される手順番号の作業工程までが全て完了していなければ、実施することができないことを表すもので、例えば、手順番号が０２０２である壁施工の建て込みという作業工程では後条件が０２０１となっているが、０１０１、０１０２、０１０３、０２０１という手順番号で表される作業工程が全て完了した後でなければ、壁施工の建て込み（手順番号０２０２）という作業を行うことができないことを示す。後条件が００００で表されるものは、他の作業工手の進捗状況にかかわりなく実施することができることを示している。
【００１７】
作業区分は、１と記載されている作業工程については通常１人で行うことを示し、２と記載されている場合は、必ず２人で共同作業を行わなければならないことを示す。２人可の区分は％で表されているが、通常１人で行う作業工程を２人で行った場合の、１人当たりの作業時間がどのようになるかをＢ標準時間に対する割合で示したものである。
【００１８】
例えば、床施工の据付は通常１人で行うと、３０分（Ｂ標準時間より）かかるが、これを２人で行えば、１人当たりの作業時間は３０分×８０％＝２４分となる。
【００１９】
２人可の欄で、０と記載されている作業工程は２人では行うことができないことを表し、１００と記載されている作業工程は必ず２人で行わなければならないことを表している。
【００２０】
難易度は、作業工程の作業内容の難易度を表すもので、Ａが最も作業内容レベルが高く、ＢやＣになる程、作業内容レベルが低くなる。Ｂ標準時間とは、作業者の技術レベルを高い方から順に、Ａ、Ｂ、Ｃとランク付けした場合に、中間の技術レベルを標準レベルとしてそのＢランクの作業者に当該作業を行わせたときに必要な時間を表す。
【００２１】
Ａ係数は前述したランクＡの作業者に作業を行わせると、Ｂランクの作業者に比較してどの程度作業時間が短縮されるかを割合で示したものである。作業内容によっては作業時間が短縮されない場合もある。Ｃ係数はランクＣの作業者に作業を行わせると、Ｂランクの作業者に比較してどの程度作業時間が延びるかを割合で示したものである。作業内容によっては作業時間が延びない場合もある。
【００２２】
例えば、床施工の据付という作業工程を見ると、Ｂ標準時間は３０分となっているので、作業者の技術レベルがＢランクの場合であれば、３０分で作業を終了することができるが、Ｃランクの作業者で同じ作業を行うと、Ｃ係数の１２０％を乗じた値、３０×１．２＝３６分かかることになる。また、Ａランクの作業者であれば、３０×０．８＝２４分で作業が終了することになる。
【００２３】
また、１人で行える作業を２人で行うこととし、その一方の作業者または両方の作業者がＢランクでない場合には、Ｂ標準時間に２人可の欄に記載された割合と、Ａ係数またはＣ係数の欄に記載された割合とを乗算すれば良い。
【００２４】
付属品施工手順ＤＢ５は、例えば図５のように構成されており、付属品品名、付属品品番、手順番号、当該付属品を施工するのに要する時間（分）が格納されている。手順番号は上記商品施工手順ＤＢ２に記録されている手順番号に対応するものである。
【００２５】
作業者情報ＤＢ７は、例えば図６のように構成されており、所属、氏名、氏名コード、ランク、単価（円／分）が格納されている。単価は施工費用を算出する際に基礎となるデータであり、ランクは作業者の技術レベルを表すもので、上記商品施工手順ＤＢ２に記録されているＢ標準時間、Ａ係数、Ｃ係数と関連するものである。
【００２６】
また、データ入力手段１の一例を示すと、図３のような画面構成となっており、商品品番、付属品品番、作業者が入力できるようになっている。一つの商品に対して付属品（オプション）は複数個追加できるので、画面も複数の付属品品番が入力できるようになっている。作業者は複数名入力することができ、作業者の名前または氏名コードのいずれを入力しても良いようになっている。
【００２７】
商品品番が入力されると、商品施工手順ＤＢ２を検索し、付属品品番が入力されると付属品施工手順ＤＢ５を検索し、作業者が入力されると作業者情報ＤＢ７を検索する。図１のユニット商品施工手順作成システムの基本的な動作フローを図２に示し、基本動作を説明する。
【００２８】
まず、図３のようなデータ入力手段１に商品品番、付属品品番、作業者データを入力する（Ｓ１）。第１の検索手段３が入力された商品品番に対応する施工手順データを商品施工手順ＤＢ２から検索して抽出する（Ｓ２）。また、第２の検索手段４が入力された付属品品番対応する施工手順データを付属品施工手順ＤＢ５から検索して抽出する（Ｓ３）。第３の検索手段６が入力された作業者データに対応する情報を作業者情報ＤＢ７から検索して抽出する（Ｓ４）。
【００２９】
作業用データ作成手段８では、Ｓ２での検索結果データ（施工手順データ）とＳ３での検索結果データ（施工手順データ）とをまとめて一つの施工手順とした作業用データを作成する（Ｓ５）。  作成された作業用データの一例を示すのが、図７である。図７の例では、商品品番にＹＡ２０−１６２０Ｗと入力し、付属品品番ＳＨ５０、ＭＲ３０、ＪＢ−Ｅの３種類を入力した結果を示している。
【００３０】
商品品番ＹＡ２０−１６２０Ｗの施工手順は、図４に示される通りである。図５より付属品品番ＳＨ５０の手順番号は０２０１となっているので、図４の手順番号０２０１で表示された壁施工の前加工という作業工程にこのシャワータワーＳＨ５０の施工が付け加わることになる。また、付属品品番ＭＲ３０の手順番号も０２０１であるため、ワイドミラーＭＲ３０の施工も壁施工の前加工という作業工程に付け加わることになる。その作業時間は図５よりＳＨ５０が２０分、ＭＲ３０が１０分となっている。
【００３１】
したがって、商品品番ＹＡ２０−１６２０Ｗの施工手順において壁施工の前加工という作業工程にかかる時間は本来標準時間７０分（図４のＢ標準時間（Ｍ）参照）であるが、上記の２つの付属品の施工時間が加算されるために  ７０＋２０＋１０＝１００分となる。  また、ジェットバスＪＢ−Ｅの手順番号は０８０１で、その作業時間は２０分であり、図４で手順０８０１に対応する浴槽施工の前加工の作業時間は１０分であるので、ジェットバスＪＢ−Ｅの施工が付加された作業の時間は、２０＋１０＝３０分となる。
【００３２】
上述のようにユニット商品単体の施工手順データの手順番号に付属品が施工されるべき手順番号をつき合わせて、付属品の施工作業時間を加算したものが作業用データとなる。図７を見ると、壁施工の前加工である手順番号０２０１の作業時間は１００分、浴槽施工の前加工である手順番号０８０１の作業時間は３０分となっており、上記の結果と一致する。
【００３３】
次に、Ｓ４で検索された作業者に関する情報と作業用データ作成手段８で作成された作業用データとから作業者毎の総作業時間数が略同一になるように作業工程を各作業者に割り当てる（Ｓ６）。割り当てた結果、施工手順が決まるので、施工手順内容等を出力手段１０により、表示または印刷を行う（Ｓ７）。
【００３４】
次に、複数作業者工程割当手段９でＳ６のように複数作業者の各総作業時間数が略同一になるように作業工程を割り振る手順を示しているのが、図９〜図１１であり、この手順により複数の作業者に作業工程が割り当てられた結果の一例を図８に示している。以下、複数作業者工程割当手段９の動作を説明する。
【００３５】
まず、システム内の変数である現行ステップにメモリを確保しておき、初期化処理として現行ステップを０にする（Ｔ１）。Ｔ２では、複数の作業者の内、全く作業工程を割り振られていない（経過時間が０のまま）者がいれば、Ｔ７に移り読み込み開始行を１行戻す。最初の状態では、複数の作業者がいずれも作業工程が割り当てられていないので、Ｔ２からＴ７を経てＴ８に移り、作業用データ内で未着手となっている次の作業工程データを読む。図７の作業用データのステータスの欄には、「作業中」や「完了」というデータが書き込まれるようになっているが、空白であれば未着手となる。したがって、最初の状態では、すべての作業工程のステータスの欄は空白となっているので、作業用データの１行目に記載されている床施工の前準備に関するデータがすべて読み込まれる。
【００３６】
次に、読み込んだ作業工程データの行数が最終行番号よりも大きいかどうかを判定する（Ｓ９）。１行目のデータが読み込まれたので行数は０１であり、最終行番号０９よりも小さいのでＴ１０に進み、現行ステップの値が後条件より小さいかどうかを判定する。上記読み込まれた床施工の前準備の後条件データは００００であるので、現行ステップの値０と等しい。したがって、Ｔ１１に進み、作業区分のデータから１人で行えるものか、複数で行わなければならないものかを判断する。
【００３７】
床施工の前準備の作業区分の欄を見ると、１となっているので通常１人で行う作業であることがわかり、Ｔ１２に進む。Ｔ１２では、経過時間（作業予定時間）が少ない方の作業者に作業工程を割り当、作業のステータスを「作業中」とする。複数の作業者の経過時間が同じならば、最初の作業者から作業工程を割り振ることになる。例えば、作業者として佐藤さんと金山さんとが選ばれた場合、この２名の方の施工手順リストを作成するための記憶領域が確保され、その領域に図８のような形で、データが記録されて行く。
【００３８】
この場合、最初に登録されているのは、佐藤さんの方なので床施工の前準備という作業工程は佐藤さんに割り当てられ（図８上図１行目）、技術ランク、単価や作業区分、Ｂ標準時間に基づく作業時間等が記録されていく。経過時間とは、図８の時間（作業時間）の欄の値を加算したものである。例えば、佐藤さんで言えば、手順番号０１０３の床施工の水張り試験完了まで９０分かかることを意味する。また、図７の作業用データにおいて、１行目の床施工の前準備に対応するステータスの欄に「作業中」と書き込む。
【００３９】
次に、Ｔ２に戻り、経過時間の判断を行うが、今度は金山さんの方が経過時間０となっているので、Ｔ７に進んで、読み込み開始行を１行目に戻して未着手となっている次の作業工程データを読み込む（Ｔ８）。前述のように、図７の作業用データにおける１行目のステータス欄は、「作業中」となっているので、次の作業工程、床施工の据付に関するデータを読み込む。
【００４０】
２行目のデータが読み込まれたので行数は０２であり、最終行番号１６よりも小さいので、Ｔ９からＴ１０に進み、現行ステップの値と後条件の値とを比較する。床施工の据付の後条件データは０１０１であり、現行ステップの値は０であるので、後条件より現行ステップの方が小さい値となってＴ８に戻ることになる。Ｔ８では次の未着手（ステータスの欄が空白）の作業工程データ、すなわち床施工の水張り試験に関するデータを読み込むが、後条件の値が０１０２であり、現行ステップの値０の方が小さいのでＴ９からＴ１０を経て再度Ｔ８に戻ることになる。
【００４１】
このように、Ｔ８〜Ｔ１０までのステップを繰り返すことになるが、読み込まれた作業データが壁施工の前加工のときに、後条件データが００００となって、現行ステップ値０と等しくなるので、Ｔ１１に進む。壁施工の前加工の作業区分は１人作業となっているので、Ｔ１２に進み、図８の金山さんの方のリストに壁施工の前加工に関するデータを記録して、図７の４行目壁施工の前加工におけるステータスの欄を「作業中」とし、Ｔ２に進む。
【００４２】
各人に少なくとも１つの作業工程が割り付けられると、経過時間が０の作業者がなくなるので、Ｔ２からＴ３に進む。Ｔ３では、所定の方法に従い作業のステータスを「完了」に変更するが、所定の方法とは、各作業者の経過時間を比較し、経過時間の少ない方の作業者の最近の作業のステータスを「作業中」から「完了」に変更し、各作業者の経過時間が同じ時、どちらの作業のステータスも「完了」に変更するものである。
【００４３】
この時点では、佐藤さんの経過時間は２０分、金山さんの方は経過時間１００分なので、佐藤さんの方が経過時間が少ないため、作業用データにおいて佐藤さんの直近の作業である床施工の前準備のステータスを「作業中」から「完了」に変更する。
【００４４】
次に、作業工程の１番目から連続して「完了」のステータスになっている最後の手順番号を現行ステップとする（Ｔ４）。上記のように作業用データでは、床施工の前準備だけが、「完了」のステータスになっているので、この手順番号０１０１を現行ステップの値に置き換える。そして、もし、現行ステップの値が最終の手順番号（図７の例では０９０１）に到達した場合には、作業者毎の施工手順表を総工数や費用等とともに出力をして（Ｔ６）処理は終了する。
【００４５】
現行ステップの値が最終の手順番号と等しくない場合は、Ｔ８へ進み、未着手となっている次の作業工程データを読む。未着手となっている次の作業工程は床施工の据付なので、このデータを読み込む。床施工の据付の行数は、最終行番号１６よりも小さいのでＴ９からＴ１０へ進む。作業区分が１人用なので、Ｔ１１からＴ１２に進み、経過時間が少ない方、すなわち佐藤さんの方へこの作業工程を割り付け、関連するデータを記録し、床施工の据付におけるステータスを「作業中」とする。そしてＴ２に戻る。
【００４６】
このようにして、作業工程の割当処理を順次行っていく。ところで、作業工程を割り振って行く過程で、必ず２人で作業しなければならない作業工程がでてくる場合に、どのように割り付けをするのかを示したのがステップＴ１３以下である。
【００４７】
作業工程の作業区分が２人となっていると、Ｔ１２からＴ１３に進み、各作業者の経過時間が同じかどうか判断される。同じであれば、それぞれの作業者に作業を割当、当該作業工程のステータスを「作業中」とする（Ｔ１４）だけなので簡単であるが、同じでない場合には、図１１で示すフローチャートにより処理が行われる。
【００４８】
まず、経過時間が多い方の作業者の作業工程が２人作業可なのかどうかを判定し（Ｔ３１）、２人作業不可の場合（２人可の欄が０の場合）、経過時間が多い方の作業者の作業中の作業工程を２人の経過時間の差分で一旦中断して、作業時間、経過時間をセットする。２人で行わなければならない作業工程を各作業者にそれぞれ割り当てて、関連するデータを記録する。次に上記中断した作業を同じ作業者に割当、中断以降の残りの作業時間や経過時間をセットする（Ｔ３３）。一方、経過時間が多い方の作業者の作業工程が２人作業可の場合、経過時間が多い方の作業者の作業中の作業工程を２人の経過時間の差分で一旦中断して、作業時間、経過時間をセットする。
【００４９】
次に、中断以降の残りの作業時間に２人作業係数（図７の２人可の欄の数値）を掛けて２人作業での時間を算出し、それぞれの作業者に中断した作業工程を割り当てるとともに、この算出した２人作業での時間及び経過時間をセットし、当該作業工程のステータスを「完了」にする。
【００５０】
例えば、図８で示されている手順番号０２０２、壁施工の建て込みという作業工程について考えてみると、佐藤さんは手順番号０２０２の前工程は、０４０１であって図７より通常作業時間は２０分かかることになっている。この時点で経過時間を比較すると、佐藤さんは本来１１０分の経過時間、金山さんは１００分となって、佐藤さんの方が経過時間が多いので、直近の作業である手順番号０４０１は図７のデータより２人作業不可となっているのがわかるので、Ｔ３１からＴ３３へ処理が進むことになる。
【００５１】
次に、佐藤さんの方の作業を、金山さんの経過時間１００分と同じところで中断する。すなわち、佐藤さんの方の作業である天井施工の前準備を２人の経過時間の差分、１１０−１００＝１０分で中断して、この１０分という作業時間を記録して経過時間を算出する。そして、壁施工の建て込みという作業工程を各作業者に割当て、作業時間として３０分を記録するとともに、経過時間を算出する。作業用データの手順番号０２０２に該当するステータスの欄を「完了」とする。次に、中断した天井施工の前準備という作業工程を佐藤さんの方へ壁施工の建て込みという作業工程の後に再度割り付け、中断以降の残りの作業時間（この場合１０分）を記録し、経過時間を算出しておく。
【００５２】
最終行まで読んだが着手可能な作業工程（ステータスが未着手となっているもの）がなかった場合、２人可である作業についてはすべて２人で作業を行うことになるが、そうすると、１人のみで作業を行わなければならない工程や、最後の作業工程の段階では、もう１人の作業者の時間を調整する必要がある。
【００５３】
この調整手順を示すのが図１０のフローチャートである。図９のＴ９でYESの場合にＴ２１に進み、経過時間が多いほうの作業者の作業が２人可かどうか判断し、２人可の場合は経過時間の少ない方の作業者に同じ経過時間になるようにアイドル時間を割り付ける（Ｔ２３）、Ｔ２へ戻る。一方、１人のみでの作業となっている場合には、Ｔ２２に進み、経過時間が多い方の作業者の作業中の作業工程を２人の経過時間の差分で一旦中断して、作業時間、経過時間をセットする。
【００５４】
次に、中断以降の残りの作業時間に２人作業係数（図７の２人可の欄の数値）を掛けて２人作業での時間を算出し、それぞれの作業者に中断した作業工程を割り当てるとともに、この算出した２人作業での時間及び経過時間をセットし、当該作業工程のステータスを「完了」にし、Ｔ２に戻る。
【００５５】
例えば、図８において２人作業の天井施工の作業工程（手順番号０４０２）が完了した後、佐藤さんにドア天井接続の接続（手順番号０５０１、１人作業で２人作業不可）という作業工程が割り付けられる。次に金山さんに割り付ける作業工程を読み込むが、次の壁・天井仕上げの仕上げ（手順番号０６０１）以降、最終行のエプロン取付けの取付けまではＴ１０の後条件の制限により割り付けることができない。
この時点までの記録された各作業者の施工手順は、図８において、佐藤さんの場合は手順番号０５０１（１０行目）まで、金山さんは手順番号０４０２（５行目）までとなり、経過時間は佐藤さんが２１４分、金山さんが１９４分で、佐藤さんの方が多い。
【００５６】
Ｔ２１では、佐藤さんの作業中の作業（手順番号０５０１）が２人可かどうか判定するが、図７の作業用データの手順番号０５０１に対応する２人可の欄を見れば、２人作業不可ということがわかるので、Ｔ２３に移り、経過時間が少ない金山さんの方にアイドル時間として２０分を割り付けて経過時間が等しくなるようにする。もし、この作業中の作業が２人可であれば、Ｔ２２の処理が行われる。
【００５７】
以上のような処理をすべての作業工程について行い、各作業者に施工手順の記録が行われた最終結果を示すのが、図８であり、出力手段１０でこの結果を画面表示した例を示すのが図１２である。
【００５８】
ここで、アイドルの行には、待ち（片付け）と表示されている。通常は待ち時間となるアイドル時間であるが、各作業工程の終了毎や、最後の作業終了時には、掃除や後片付け等が必要になるので、一方の作業者が作業を行いつつも、他方のアイドル時間を割り付けられた作業者は、その作業中の周辺も含めて掃除や後片付けを行い、有効に活用することにしている。
【００５９】
上述した手順により、各作業者の総作業時間数が略同一になるように、また待ち時間（アイドル）まで含めれば総作業時間数を同一にするように施工手順を確実に作成できるので、ユニット商品を設置する施工現場における作業を複数の作業者で行う場合に、作業者毎の効率的な施工手順や施工費用を計画することができる。
【図面の簡単な説明】
【００６０】
【図１】本発明のユニット商品施工手順作成システムの基本構成例を示す図である。
【図２】本発明のユニット商品施工手順作成システムの基本動作を示すフローチャート図である。
【図３】データ入力手段の一例を示す図である。
【図４】商品施工手順データベースのデータ構造例を示す図である。
【図５】付属品施工手順データベースのデータ構造例を示す図である。
【図６】作業者情報データベースのデータ構造例を示す図である。
【図７】作業用データの一例を示す図である。
【図８】複数の作業者に作業工程が割り当てられていく様子を示す図である。
【図９】複数作業者工程割当手段の動作を示すフローチャート図である。
【図１０】複数作業者工程割当手段の動作を示すフローチャート図である。
【図１１】複数作業者工程割当手段の動作を示すフローチャート図である。
【図１２】複数の作業者に作業工程が割り当てられた結果を表示した例を示す図である。
【符号の説明】
【００６１】
１    データ入力手段
２    商品施工手順ＤＢ
３    第１の検索手段
４    第２の検索手段
５    付属品施工手順ＤＢ
６    第３の検索手段
７    作業者情報ＤＢ
８    作業用データ作成手段
９    複数作業者工程割当手段
１０  出力手段
【図１】
2006065578.tif 000003
【図２】
2006065578.tif 000004
【図３】
2006065578.tif 000005
【図４】
2006065578.tif 000006
【図５】
2006065578.tif 000007
【図６】
2006065578.tif 000008
【図７】
2006065578.tif 000009
【図８】
2006065578.tif 000010
【図９】
2006065578.tif 000011
【図１０】
2006065578.tif 000012
【図１１】
2006065578.tif 000013
【図１２】
2006065578.tif 000014